【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】充電装置、電子機器、充電装置における充電制御方法、電子機器における充電制御方法
【手続補正２】
【補正対象書類名】明細書
【補正対象項目名】特許請求の範囲
【補正方法】変更
【補正の内容】
【特許請求の範囲】
【請求項１】
電子機器本体に着脱可能であって、当該電子機器に電力を供給するための二次電池を充電する充電装置であって、
前記二次電池からの電力を前記電子機器に供給するための供給手段と、
前記二次電池を充電するための充電条件を判定する判定手段と、
前記電子機器からの前記二次電池の充電制御信号を受信する受信手段と、
前記受信手段により受信した前記充電制御信号と、前記判定手段による前記充電条件とに応じて前記二次電池の充電を制御する制御手段と、
を有することを特徴とする充電装置。
【請求項２】
商用電源からの電力を入力する入力端子と、
前記入力端子を介して供給される前記電力を前記電子機器に供給するとともに、前記電力により前記二次電池の充電を行うように中継出力する電源中継手段を更に有することを特徴とする請求項１に記載の充電装置。
【請求項３】
電子機器本体に着脱可能であって、当該電子機器に電力を供給するための二次電池を充電する充電装置であって、
前記二次電池からの電力を前記電子機器に供給するための供給手段と、
前記電子機器からの信号を受信する受信手段と、
前記受信手段により受信した前記信号により電源断が指示されると、前記供給手段により前記二次電池による電力供給を停止させるように制御する制御手段と、
を有することを特徴とする充電装置。
【請求項４】
前記受信手段により受信した前記信号により電源断が指示されると、前記二次電池を充電する条件が満足している場合に、前記二次電池の充電を開始させるように制御する充電制御手段を更に有することを特徴とする請求項３に記載の充電装置。
【請求項５】
二次電池を収容している充電ユニットを着脱可能であって、前記充電ユニットに収容されている前記二次電池からの電力供給により動作可能な電子機器であって、
前記二次電池への充電制御信号を前記充電ユニットに送信する送信手段を有することを特徴とする電子機器。
【請求項６】
商用電源からの電力を入力する入力端子と、前記二次電池の充電が必要か否かを判定する判定手段と、前記入力端子を介して前記電力が供給されている状態で、前記判定手段により前記二次電池の充電が必要であると判定されると、前記送信手段により前記二次電池への充電許可を示す信号を送信させるように制御する制御手段を更に有することを特徴とする請求項５に記載の電子機器。
【請求項７】
更に、前記充電ユニットに対して電源断を示す信号を送信するように制御する電源断信号送出制御手段を有することを特徴とする請求項５に記載の電子機器。
【請求項８】
前記電子機器は画像形成装置であって、前記充電ユニットが前記二次電池の充電中に外部機器より画像形成指示コマンドを入力すると、前記制御手段は、前記送信手段により前記二次電池への充電不許可を示す信号を送信させるように制御することを特徴とする請求項５乃至７のいずれか１項に記載の電子機器。
【請求項９】
前記画像形成装置は、記録ヘッドを駆動して記録媒体に画像を記録することを特徴とする請求項８に記載の電子機器。
【請求項１０】
前記画像形成装置は前記記録ヘッドからインクを吐出して記録媒体に画像を形成するインクジェット記録装置であることを特徴とする請求項９に記載の電子機器。
【請求項１１】
電子機器本体に着脱可能であって、当該電子機器に電力を供給するための二次電池を充電する充電装置における充電制御方法であって、
前記二次電池からの電力を前記電子機器に供給するための供給工程と、
前記二次電池を充電するための充電条件を判定する判定工程と、
前記電子機器からの前記二次電池の充電制御信号を受信する受信工程と、
前記受信工程で受信した前記充電制御信号と、前記判定工程による前記充電条件とに応じて前記二次電池の充電を制御する制御工程と、
を有することを特徴とする充電制御方法。
【請求項１２】
電子機器本体に着脱可能であって、当該電子機器に電力を供給するための二次電池を充電する充電装置における充電制御方法であって、
前記二次電池からの電力を前記電子機器に供給するための供給工程と、
前記電子機器からの信号を受信する受信工程と、
前記受信工程で受信した前記信号により電源断が指示されると、前記二次電池による電力供給を停止させるように制御する制御工程と、
を有することを特徴とする充電制御方法。
【請求項１３】
二次電池を収容している充電ユニットを着脱可能であって、前記充電ユニットに収容されている前記二次電池からの電力供給により動作可能な電子機器における充電制御方法であって、
前記二次電池への充電制御信号を前記充電ユニットに送信する送信工程を有することを特徴とする電子機器における充電制御方法。
【手続補正３】
【補正対象書類名】明細書
【補正対象項目名】０００１
【補正方法】変更
【補正の内容】
【０００１】
【発明の属する技術分野】
本発明は、二次電池を充電する充電装置及びその二次電池により駆動可能な電子機器、及び充電装置における充電制御方法、電子機器における充電制御方法に関するものである。
【手続補正４】
【補正対象書類名】明細書
【補正対象項目名】０００７
【補正方法】変更
【補正の内容】
【０００７】
本発明は上記従来例に鑑みてなされたもので、上記従来技術の課題を解決した使い勝手の良い充電装置、及びその二次電池により駆動可能な電子機器、及び充電装置における充電制御方法、電子機器における充電制御方法を提供することを目的とする。
【手続補正５】
【補正対象書類名】明細書
【補正対象項目名】０００８
【補正方法】変更
【補正の内容】
【０００８】
【課題を解決するための手段】
上記目的を達成するために本発明の充電装置は以下のような構成を備える。即ち、
電子機器本体に着脱可能であって、当該電子機器に電力を供給するための二次電池を充電する充電装置であって、前記二次電池からの電力を前記電子機器に供給するための供給手段と、前記二次電池を充電するための充電条件を判定する判定手段と、前記電子機器からの前記二次電池の充電制御信号を受信する受信手段と、前記受信手段により受信した前記充電制御信号と、前記判定手段による前記充電条件とに応じて前記二次電池の充電を制御する制御手段と、を有することを特徴とする。
また上記目的を達成するために本発明の別の充電装置は以下のような構成を備える。即ち、
電子機器本体に着脱可能であって、当該電子機器に電力を供給するための二次電池を充電する充電装置であって、前記二次電池からの電力を前記電子機器に供給するための供給手段と、前記電子機器からの信号を受信する受信手段と、前記受信手段により受信した前記信号により電源断が指示されると、前記供給手段により前記二次電池による電力供給を停止させるように制御する制御手段と、を有することを特徴とする。
更に上記目的を達成するために本発明の電子機器は以下のような構成を備える。即ち、
二次電池を収容している充電ユニットと着脱可能であって、前記充電ユニットに収容されている前記二次電池からの電力供給により動作可能な電子機器であって、前記二次電池への充電制御信号を前記充電ユニットに送信する送信手段を有することを特徴とする。
更にまた上記目的を達成するために本発明の充電装置における充電制御方法は以下のような工程を備える。即ち、
電子機器本体に着脱可能であって、当該電子機器に電力を供給するための二次電池を充電する充電装置における充電制御方法であって、前記二次電池からの電力を前記電子機器に供給するための供給工程と、前記二次電池を充電するための充電条件を判定する判定工程と、前記電子機器からの前記二次電池の充電制御信号を受信する受信工程と、前記受信工程で受信した前記充電制御信号と、前記判定工程による前記充電条件とに応じて前記二次電池の充電を制御する制御工程と、を有することを特徴とする。
また上記目的を達成するために本発明の別の充電装置における充電制御方法は以下のような工程を備える。即ち、
電子機器本体に着脱可能であって、当該電子機器に電力を供給するための二次電池を充電する充電装置における充電制御方法であって、前記二次電池からの電力を前記電子機器に供給するための供給工程と、前記電子機器からの信号を受信する受信工程と、前記受信工程で受信した前記信号により電源断が指示されると、前記二次電池による電力供給を停止させるように制御する制御工程と、を有することを特徴とする。
更に、上記目的を達成するために本発明の電子機器における充電制御方法は以下のような工程を備える。即ち、
二次電池を収容している充電ユニットを着脱可能であって、前記充電ユニットに収容されている前記二次電池からの電力供給により動作可能な電子機器における充電制御方法であって、前記二次電池への充電制御信号を前記充電ユニットに送信する送信工程を有することを特徴とする。